(57)【要約】【課題】施工作業性が良好で、効率的に沈殿物を回収、排出出来る貯留池洗浄システム及び該貯留池洗浄システムに用いる沈殿物洗浄部材を提供する。【解決手段】貯留池１０の略平坦な底部１１に、沈殿物洗浄部材１２…が、複数本並設されて配置されることにより、これらの沈殿物洗浄部材１２…の上に堆積した沈殿物を、高圧洗浄水等を用いて洗浄除去するものである。  沈殿物洗浄部材１２には、所定の角度α（α＝約９７度）を設けて屈曲された頭頂部１２aから傾斜して延設される平板状の側面部１２ｂ,１２ｂが、等しい長さで左，右一対、一体に設けられている。  この沈殿物洗浄部材１２は、合成樹脂としてのポリエチレン樹脂材料によって主に構成されていて、並設された状態では、隣接配置される他の沈殿物洗浄部材１２との間に谷部としての凹状の水路１６…が、複数本、並行に形成される。【選択図】図１
2007144332.tif 000002
【特許請求の範囲】
【請求項１】
貯留池の底部に沈殿物洗浄部材を配置して、該沈殿物洗浄部材の上に堆積した沈殿物を洗浄除去する貯留池洗浄システムであって、
前記沈殿物洗浄部材は、断面略山型形状を呈して、前記底部に並設配置されることにより、該沈殿物洗浄部材間に谷部を形成し、該谷部に堆積した沈殿物を洗浄除去することを特徴とする貯留池洗浄システム。
【請求項２】
前記沈殿物洗浄部材は、頭頂部を屈曲する合成樹脂製板状部材によって、下面側に空間部が形成された断面略山型形状を呈することを特徴とする請求項１記載の貯留池洗浄システム。
【請求項３】
前記沈殿物洗浄部材は、隣接配置される他の沈殿物洗浄部材と連結する連結手段を有していることを特徴とする請求項１又は２記載の貯留池洗浄システム。
【請求項４】
前記沈殿物洗浄部材には、前記空間部と、上方の空間とを連通する空気孔が形成されていることを特徴とする請求項２又は３記載の貯留池洗浄システム。
【請求項５】
貯留池の底部に配置されて、断面略山型形状を呈することにより、側面部に形成される谷部に沈殿物を堆積させて、該沈殿物を洗浄除去することを特徴とする請求項１乃至４のうち、何れか一項記載の貯留池洗浄システムに用いる沈殿物洗浄部材。
【発明の詳細な説明】
【技術分野】
【０００１】
本発明は、主に、下水処理場等の貯留池の底部に、残留した沈殿物を、容易に洗浄出来る貯留池洗浄システム及び該貯留池洗浄システムに用いる沈殿物洗浄部材に関するものである。
【背景技術】
【０００２】
従来、図２７及び図２８に示すような貯留池洗浄システム及び該貯留池洗浄システムに用いる沈殿物洗浄部材が知られている（例えば、特許文献１等参照）。
【０００３】
まず、構成から説明すると、この従来の貯留池洗浄システムでは、貯留池１の底部１ａに、左右対称に傾斜面１ｂ,１ｂが形成されている。
【０００４】
そして、これらの傾斜面１ｂ,１ｂの下流側に、断面半円形の沈殿物回収溝２を構成する半円筒固定部材３が埋設されている。
【０００５】
この半円筒固定部材３の内周面３ａには、図２７に示すような閉位置にある場合に、この半円筒固定部材３と共に、断面円形の閉空間４を形成する半円筒回転部材５が、この内周面３ａに沿って周方向に回動可能に配設されている。
【０００６】
次に、この従来の貯留池洗浄システム及び該貯留池洗浄システムの作用効果について説明する。
【０００７】
このように構成された従来の貯留池洗浄システムでは、底部１ａの前記沈殿物回収溝２上に、図２８に示すように沈殿物６が堆積すると、前記半円筒回転部材５が、半円筒固定部材３の内周面に沿って周方向に回動されて、前記閉空間４内に、これらの堆積した沈殿物６を閉じこめる。
【０００８】
そして、これらの閉じこめられた沈殿物６が、液体と共に、この閉空間４内から、水頭差を利用したサイフォンの原理とエアリフトの原理によって外部に排出される。
【特許文献１】特開２００４−２０９３６７号公報（００２０段落乃至００４１段落、図１）
【発明の開示】
【発明が解決しようとする課題】
【０００９】
このように構成された従来の貯留池洗浄システムに用いる半円筒固定部材３では、下面側３ｂが、曲面を呈する為、貯留池１の底部１ａに埋設しなければ、支持する部品を別途設けない場合、転んでしまうといった問題があった。
【００１０】
このため、底部１ａには、左，右の傾斜面１ｂ,１ｂを形成すると共に、最も低い部分に前記半円筒固定部材３を埋設しなければならず、現場作業性が良好であるとは言い難かった。
【００１１】
また、プレキャストコンクリート製のＵ字状溝が凹設形成された溝部材を底部１ａに載置することも考えられるが、この場合は、この溝部材が、一定の重量を有している為、クレーン等の重機を用いなければならず、作業員の人力のみで設置及びメンテナンス時の取り外し作業を行うことができなかった。
【００１２】
そこで、この発明は、軽量で施工作業性が良好で、効率的に沈殿物を回収、排出出来る貯留池洗浄システム及び該貯留池洗浄システムに用いる沈殿物洗浄部材を提供することを課題としている。
【課題を解決するための手段】
【００１３】
上記目的を達成するために、請求項１に記載された発明は、貯留池の底部に沈殿物洗浄部材を配置して、該沈殿物洗浄部材の上に堆積した沈殿物を洗浄除去する貯留池洗浄システムであって、前記沈殿物洗浄部材は、断面略山型形状を呈して、前記底部に並設配置されることにより、該沈殿物洗浄部材間に谷部を形成し、該谷部に堆積した沈殿物を洗浄除去する貯留池洗浄システムを特徴としている。
【００１４】
また、請求項２に記載されたものは、前記沈殿物洗浄部材は、頭頂部を屈曲する合成樹脂製板状部材によって、下面側に空間部が形成された断面略山型形状を呈する請求項１記載の貯留池洗浄システムを特徴としている。
【００１５】
更に、請求項３に記載されたものは、前記沈殿物洗浄部材は、隣接配置される他の沈殿物洗浄部材と連結する連結手段を有している請求項１又は２記載の貯留池洗浄システムを特徴としている。
【００１６】
また、請求項４に記載されたものは、前記沈殿物洗浄部材には、前記空間部と、上方の空間とを連通する空気孔が形成されている請求項２又は３記載の貯留池洗浄システムを特徴としている。
【００１７】
そして、請求項５に記載されたものは、貯留池の底部に配置されて、断面略山型形状を呈することにより、側面部に形成される谷部に沈殿物を堆積させて、該沈殿物を洗浄除去する請求項１乃至４のうち、何れか一項記載の貯留池洗浄システムに用いる沈殿物洗浄部材を特徴としている。
【発明の効果】
【００１８】
このように構成された請求項１記載のものでは、前記沈殿物洗浄部材が、断面略山型形状を呈しているので、設置状態での安定性が良好である。
【００１９】
また、該沈殿物洗浄部材が、並設された状態では、隣接配置される沈殿物洗浄部材間に谷部が形成される。
【００２０】
このように、貯留池の底部が平坦なままであっても、該沈殿物洗浄部材を並設して載置固定するだけで、施工が略完了する為、従来のように、底部に傾斜面を形成したり、溝状部材を埋設する必要が無く、施工作業性が良好である。
【００２１】
前記貯留池内の沈殿物は、前記沈殿物洗浄部材の山部の斜面を下って、該谷部に集められて堆積する。
【００２２】
該谷部に堆積した前記沈殿物は、高圧洗浄水によって容易に、該谷部延設方向に沿って押し流されて排出させることが出来る。
【００２３】
このため、沈殿物をかき集める機材や、高価な排水設備を必要とせずに、貯留池の洗浄が行える。
【００２４】
また、請求項２に記載されたものは、前記沈殿物洗浄部材が、頭頂部を屈曲する合成樹脂製板状部材によって、下面側に空間部が形成された断面略山型形状を呈して構成されている。
【００２５】
このため、軽量で、作業者の人力による設置及びメンテナンス時の取り外し作業を行うことが出来る。
【００２６】
更に、該沈殿物洗浄部材を複数枚、積層して載置することができるので、良好なスペース効率で、搬送及び保存出来る。
【００２７】
しかも、該沈殿物洗浄部材が、合成樹脂製板状部材によって構成されている。
【００２８】
ここで、例えば、合成樹脂として、再生ポリエチレン樹脂材料等、リサイクル可能な合成樹脂材料を用いれば、再利用等、環境保全性が良好である。
【００２９】
また、該沈殿物洗浄部材が合成樹脂製であるので、腐食の虞が無い。このため、浸水状態で使用される貯留池の底部に、長期に渡り設置されても形状が保持される。
【００３０】
更に、請求項３に記載されたものは、前記沈殿物洗浄部材が、連結手段によって、隣接配置される他の沈殿物洗浄部材と連結される。
【００３１】
このため、別途連結手段を必要とせず、部品点数の増大が抑制される。
【００３２】
また、請求項４に記載されたものは、前記沈殿物洗浄部材に形成された空気孔によって、前記空間部と、上方の空間とが連通される。
【００３３】
このため、貯留池内の水や、水位低下時に空気が、該沈殿物洗浄部材の上，下両面間を通過できるので、該沈殿物洗浄部材が、浮力により浮き上がる虞が減少する。
【００３４】
そして、請求項５に記載されたものは、沈殿物洗浄部材が、貯留池の底部に配置されると、該沈殿物洗浄部材の側面部に形成される谷部に、沈殿物が集められて、堆積する。
【００３５】
このため、施工作業性が良好で、効率的に沈殿物を回収、排出することが出来る。
【発明を実施するための最良の形態】
【００３６】
次に、図面に基づいて、この発明を実施するための最良の実施の形態の貯留池洗浄システム及び該貯留池洗浄システムに用いる沈殿物洗浄部材について説明する。
【００３７】
図１乃至図９は、この発明の最良の実施の形態の貯留池洗浄システム及び該貯留池洗浄システムに用いる沈殿物洗浄部材を示すものである。
【００３８】
まず構成から説明すると、この実施の形態の貯留池洗浄システムでは、図１に示すような貯留池１０の略平坦な底部１１に、沈殿物洗浄部材１２…が、複数本並設されて配置されることにより、これらの沈殿物洗浄部材１２…の上に堆積した沈殿物を、高圧洗浄水等を用いて洗浄除去するものである。
【００３９】
この沈殿物洗浄部材１２は、図２乃至図５に示すように、頭頂部１２ａを所定の角度α（α＝約９７度）の角度を設けて屈曲することによって、この頭頂部１２aから傾斜して延設される平板状の側面部１２ｂ,１２ｂが、等しい長さで左，右一対、一体に設けられている。
【００４０】
この沈殿物洗浄部材１２は、合成樹脂としてのポリエチレン樹脂材料によって主に構成されている。
【００４１】
そして、これらの頭頂部１２a及び平板状の側面部１２ｂ,１２ｂの下面側に中空の空間部１３が形成された断面略山型形状を呈して主に構成されている。
【００４２】
この実施の形態では、前記側面部１２ｂ，１２ｂの傾斜方向の下端に、固定フランジ部１２ｃ,１２ｃが、一体に形成されている。
【００４３】
これらの固定フランジ部１２ｃには、前記底部１１に固着される固定ボルト部材１４…が挿通される挿通孔１２ｄ，１２ｄが、所定の間隔を置いて開口形成されている。
【００４４】
また、この実施の形態では、前記側面部１２ｂ，１２ｂの下面側には、図２又は図５に示されるように、一定高さｈ１を有して、突設された複数本の板状の補強フランジ部１２ｅ…が、各々頭頂部１２ａ裏面側で連結されると共に、左，右両側に向けて、傾斜方向に沿って延設されて、所定間隔を置いて一体に形成されている。
【００４５】
更に、この実施の形態では、図６に示すように、前記貯留池１０の上流側に位置する前記沈殿物洗浄部材１２の上流側端面１２ｆには、上流側開口１２ｇを閉塞するポリエチレン樹脂製の二等辺三角形形状のカバー部材１５が、溶着等によって固着されていて、上流側から、下面側に形成される空間部１３内に、泥水等が流入しにくくなるように構成されている。
【００４６】
次に、この実施例１の貯留池洗浄システム及び該貯留池洗浄システムに用いる沈殿物洗浄部材の作用について説明する。
【００４７】
まず、施工順序に沿って説明すると、この実施例１の貯留池洗浄システムでは、図１に示すように、貯留池１０に運び込まれた前記沈殿物洗浄部材１２…が、作業者の人力で、縦方向に、内部の空間部１３…が連通するように連設されると共に、横方向には、前記固定フランジ部１２ｃ,１２ｃの側端縁同士を隣接させて、複数本、並設される。
【００４８】
そして、各固定フランジ部１２ｃ…の挿通孔１２ｄ…に、前記固定ボルト部材１４…が挿通されて、前記底部１１に、前記沈殿物洗浄部材１２…が固定される。
【００４９】
また、前記沈殿物洗浄部材１２…が、各々断面略山型形状を呈しているので、設置状態での安定性が良好である。
【００５０】
また、沈殿物洗浄部材１２…が、並設された状態では、隣接配置される他の沈殿物洗浄部材１２との間に谷部としての凹状の水路１６…が、複数本、並行に形成される。
【００５１】
このように、貯留池１０の底部１１が平坦なままであっても、沈殿物洗浄部材１２を並設して載置固定するだけで、凹状の水路１６…を形成する施工が略完了する為、従来のように、底部に傾斜面を形成したり、溝状部材を埋設する必要が無く、施工作業性が良好である。
【００５２】
次に、前記貯留池１０内の沈殿物６の除去作業について、図７乃至図９を用いて説明すると、この実施の形態では、図７に示すように、前記貯留池１０内に、降雨等により、泥水を含む初期雨水が流入して貯留されると共に、時間の経過と共に、自然沈降により一部の沈殿物６が、前記各沈殿物洗浄部材１２…上に沈殿される。
【００５３】
晴天時、前記貯留池１０内の雨水は、排水されて、殆どの沈殿物６…が、前記各沈殿物洗浄部材１２…上に滞留する。
【００５４】
この際、これらの沈殿物６…は、前記沈殿物洗浄部材１２の山部の頭頂部１２ａ両側に設けられた側面部１２ｂ,１２ｂの斜面を伝って下って、前記谷部の中央に向けて流下し、図８に示すように、水路１６内に集められて堆積される。
【００５５】
この水路１６内に堆積した前記沈殿物６は、図９に示すように、高圧洗浄水によって容易に、各水路１６延設方向に沿って、下流側に向けて押し流して排出させることが出来る。
【００５６】
この際、沈殿物６は、左，右一対の沈殿物洗浄部材１２,１２の対向する側面部１２ｂ,１２ｂによって両側を塞がれているので、水路１６外に飛散することが少なく、そのまま排出されて、洗浄効率が良好である。
【００５７】
このため、沈殿物６をかき集める機材や、高価な排水設備を必要とせずに、貯留池１０の底部１１の洗浄が行える。
【００５８】
また、前記沈殿物洗浄部材１２が、頭頂部１２ａを頂点として屈曲する合成樹脂製板状部材によって、下面側に空間部１３が形成された断面略山型形状を呈して構成されている。
【００５９】
このため、中実な断面略山型形状を呈する同一寸法の部材に比して、軽量で、作業者の人力による設置及びメンテナンス時の取り外し作業を、容易に行うことが出来る。
【００６０】
更に、これらの沈殿物洗浄部材１２…を複数枚、積層して載置することができるので、中実な部材を並べてストック等、行う場合に比して、良好なスペース効率で、搬送及び保存出来る。
【００６１】
しかも、この実施の形態では、沈殿物洗浄部材１２が、再生ポリエチレン合成樹脂材料によって構成されている。
【００６２】
このため、リサイクルが行えて、再利用等、環境保全性が良好である。
【００６３】
また、この沈殿物洗浄部材１２が、合成樹脂製であるので、腐食の虞が無い。このため、浸水状態で使用される貯留池１０の底部１１に、長期に渡り設置されても、断面略山型形状が保持される。
【実施例１】
【００６４】
図１０乃至図１３は、この発明の最良の実施の形態の実施例１の貯留池洗浄システム及び該貯留池洗浄システムに用いる沈殿物洗浄部材を示すものである。
【００６５】
なお、前記実施の形態と同一乃至均等な部分については、前記実施の形態と同一符号を付して説明する。
【００６６】
まず、前記実施の形態との相違点を中心に、この実施例１の貯留池洗浄システム及び該貯留池洗浄システムに用いる沈殿物洗浄部材２２の構成を説明すると、この実施例１の沈殿物洗浄部材２２では、頭頂部２２ａの一部が切り欠かれて、下側の前記空間部１３と、上方の貯留池１０内の空間部とを連通する空気孔２３…が、複数、形成されている。
【００６７】
また、図１１及び図１３に示すように、縦方向に連設される各沈殿物洗浄部材２２の側面部２２ｂ端縁には、隣接配置される他の沈殿物洗浄部材２２の側面部２２ｂ端縁と連結する連結手段としての内，外嵌着部２４，２５が形成されている。
【００６８】
そして、この外嵌着部２５の内側に、前記内嵌着部２４が、内側から嵌着されて、肉厚方向に重合されることにより、前記沈殿物洗浄部材２２，２２間が連結されるように構成されている。
【００６９】
次に、この実施例１の作用効果について説明する。
【００７０】
この実施例１では、前記実施の形態の貯留池洗浄システム及び該貯留池洗浄システムに用いる沈殿物洗浄部材の作用効果に加えて、更に、前記沈殿物洗浄部材２２の頭頂部２２ａに形成された空気孔２３，２３によって、前記内部の空間部１３と、上方の貯留池１０内の空間とが連通される。
【００７１】
このため、貯留池１０内の水や、或いは水位低下時には空気が、これらの沈殿物洗浄部材２２の上，下両面間を通過できるので、水位の変化によって、この沈殿物洗浄部材２２が、浮力等により浮き上がる虞が減少する。
【００７２】
また、前記縦方向に連設される各沈殿物洗浄部材２２，２２間が、前記内，外嵌着部２４，２５によって、嵌着されて連結されている。
【００７３】
前記内，外嵌着部２４，２５では、図１３に示すように、外嵌着部２５の内側に、前記内嵌着部２４が、内側から嵌着されて、肉厚方向に重合されている。
【００７４】
このため、更に、縦方向に連設される沈殿物洗浄部材２２，２２間から、汚水等の沈殿物６が、前記空間部１３内に流入する虞が減少する。
【００７５】
他の構成及び作用効果については、前記実施の形態と同一乃至均等であるので、説明を省略する。
【実施例２】
【００７６】
図１４及び図１５は、この発明の最良の実施の形態の実施例２の貯留池洗浄システム及び該貯留池洗浄システムに用いる沈殿物洗浄部材を示すものである。
【００７７】
なお、前記実施の形態及び実施例１と同一乃至均等な部分については、前記実施の形態及び実施例１と同一符号を付して説明する。
【００７８】
まず、前記実施例１との相違点を中心に、この実施例２の貯留池洗浄システム及び該貯留池洗浄システムに用いる沈殿物洗浄部材３２の構成を説明すると、この実施例２の沈殿物洗浄部材３２では、縦方向に連設される各沈殿物洗浄部材３２，３２の対向する端面には、空気孔としての傾斜切り欠き空気孔３２ａ，３２ａが切り欠かれて形成されている。
【００７９】
そして、これらの傾斜切り欠き空気孔３２ａ，３２ａを介して、下側の前記空間部１３と、上方の貯留池１０内の空間部とが連通されている。
【００８０】
他の構成及び作用効果については、前記実施の形態及び実施例１と同一乃至均等であるので、説明を省略する。
【実施例３】
【００８１】
図１６は、この発明の最良の実施の形態の実施例３の貯留池洗浄システム及び該貯留池洗浄システムに用いる沈殿物洗浄部材を示すものである。
【００８２】
なお、前記実施の形態及び実施例１，２と同一乃至均等な部分については、前記実施の形態及び実施例１，２と同一符号を付して説明する。
【００８３】
まず、前記実施例１との相違点を中心に、この実施例３の沈殿物洗浄部材４２の構成を説明すると、この実施例３の沈殿物洗浄部材４２では、縦方向に連設される各沈殿物洗浄部材４２，４２の各側面部４２ｂ端縁には、隣接配置される他の沈殿物洗浄部材４２の側面部４２ｂ端縁と連結する連結手段としての内，外接合傾斜端面部４４，４５が形成されている。
【００８４】
そして、この内接合傾斜端面部４４に、比較的広い面積で、前記外接合傾斜端面部４５が、当接されて接合されることにより、前記沈殿物洗浄部材４２，４２間が連結されるように構成されている。
【００８５】
他の構成及び作用効果については、前記実施の形態及び実施例１と同一乃至均等であるので、説明を省略する。
【実施例４】
【００８６】
図１７は、この発明の最良の実施の形態の実施例４の貯留池洗浄システム及び該貯留池洗浄システムに用いる沈殿物洗浄部材を示すものである。
【００８７】
なお、前記実施の形態及び実施例１乃至３と同一乃至均等な部分については、前記実施の形態及び実施例１乃至３と同一符号を付して説明する。
【００８８】
まず、前記実施例１乃至３との相違点を中心に、この実施例４の沈殿物洗浄部材５２の構成を説明すると、この実施例４の沈殿物洗浄部材５２では、縦方向に連設される各沈殿物洗浄部材５２，５２の各側面部５２ｂ端縁には、隣接配置される他の沈殿物洗浄部材５２の側面部４２ｂ端縁と連結する連結手段としての内，外鉤状連結部５４，５５が形成されている。
【００８９】
そして、これらの内鉤状連結部５４が、外鉤状連結部５５に係合されることにより、前記沈殿物洗浄部材５２，５２間が連結されるように構成されている。
【００９０】
他の構成及び作用効果については、前記実施の形態及び実施例１乃至３と同一乃至均等であるので、説明を省略する。
【実施例５】
【００９１】
図１８及び図１９は、この発明の最良の実施の形態の実施例５の貯留池洗浄システム及び該貯留池洗浄システムに用いる沈殿物洗浄部材を示すものである。
【００９２】
なお、前記実施の形態及び実施例１乃至４と同一乃至均等な部分については、前記実施の形態及び実施例１乃至４と同一符号を付して説明する。
【００９３】
まず、前記実施例１乃至４との相違点を中心に、この実施例５の沈殿物洗浄部材６２の構成を説明すると、この実施例５の沈殿物洗浄部材６２では、縦方向に連設される各沈殿物洗浄部材６２，６２の各側面部６２ｂ，６２ｂ端縁には、隣接配置される他の沈殿物洗浄部材６２の側面部６２ｂ，６２ｂ端縁と連結する連結手段としての凸状突起６４及びこの凸状突起６４と係合する凹状被係合部６５とが、交互に複数形成されている。
【００９４】
また、図１９に示すように、この側面部６２ｂ，６２ｂの下端部に一体に形成される各固定フランジ部６２ｃ，６２ｃには、並設配置される他の沈殿物洗浄部材６２の固定フランジ部６２ｃと連結する連結手段としての凸状突起６６及びこの凸状突起６６と係合する凹状被係合部６７とが、交互に複数形成されている。
【００９５】
次に、この実施例５の貯留池洗浄システムに用いる沈殿物洗浄部材６２の作用効果について説明する。
【００９６】
この実施例５の沈殿物洗浄部材６２，６２では、前記実施の形態の作用効果に加えて、更に、前記縦方向に連設される各沈殿物洗浄部材６２，６２の各側面部６２ｂ，６２ｂの対向する端縁間が、前記凸状突起６４及びこの凸状突起６４と係合する凹状被係合部６５とを係合させることにより、連結される。
【００９７】
また、並設配置される沈殿物洗浄部材６２，６２間では、隣接配置される固定フランジ部６２ｃ，６２ｃ間が、前記凸状突起６６…を凹状被係合部６７…に係合させることにより、連結される。
【００９８】
このため、複数の沈殿物洗浄部材６２…が、縦横方向で、面状に前記底部１１の上面に連結して載置される。
【００９９】
他の構成及び作用効果については、前記実施の形態及び実施例１乃至４と同一乃至均等であるので、説明を省略する。
【実施例６】
【０１００】
図２０及び図２１は、この発明の最良の実施の形態の実施例６の貯留池洗浄システム及び該貯留池洗浄システムに用いる沈殿物洗浄部材を示すものである。
【０１０１】
なお、前記実施の形態及び実施例１乃至５と同一乃至均等な部分については、前記実施の形態及び実施例１乃至５と同一符号を付して説明する。
【０１０２】
まず、前記実施例１乃至５との相違点を中心に、この実施例６の沈殿物洗浄部材７２の構成を説明すると、この実施例６の沈殿物洗浄部材７２では、各側面部７２ｂ，７２ｂの下端部に一体に形成される左，右各固定フランジ部７２ｃ，７２ｃには、これらの固定フランジ部７２ｃ，７２ｃよりも薄肉の連結手段としての連結片部７３，７４が、外側方に水平に突設されるように一体に形成されている。
【０１０３】
これらの連結片部７３，７４は、図２１に示すように、上下方向に重合された状態で、連結片部７３側に突設形成されたピン部７５を、前記連結片部７４側に開口形成された係着孔７６内に突入させることにより、これらの左，右各固定フランジ部７２ｃ，７２ｃ間を連結するように構成されている。
【０１０４】
このように構成された実施例６の沈殿物洗浄部材７２では、上方から前記連結片部７４を隣接配置される連結片部７３に重合させて、ピン部７５を、この連結片部７４側に開口形成された係着孔７６内に突入させることにより、これらの左，右各固定フランジ部７２ｃ，７２ｃ間が、容易に連結される。
【０１０５】
また、この実施例６では、前記係着孔７６の上方から、突入されたピン部７５の上端面を視認できるので、左，右各固定フランジ部７２ｃ，７２ｃ間の連結が確実に行われているか否かを確認することができる。
【０１０６】
他の構成及び作用効果については、前記実施の形態及び実施例１乃至５と同一乃至均等であるので、説明を省略する。
【実施例７】
【０１０７】
図２２は、この発明の最良の実施の形態の実施例７の貯留池洗浄システム及び該貯留池洗浄システムに用いる沈殿物洗浄部材を示すものである。
【０１０８】
なお、前記実施の形態及び実施例１乃至６と同一乃至均等な部分については、前記実施の形態及び実施例１乃至６と同一符号を付して説明する。
【０１０９】
まず、前記実施例１乃至６との相違点を中心に、この実施例７の沈殿物洗浄部材８２の構成を説明すると、この実施例７の沈殿物洗浄部材８２では、頭頂部８２ａの下面側から、側面部８２ｂの下面側の上部に一部跨って、側面視略二等辺三角形形状の補強フランジ部８２ｅが一体に設けられている。
【０１１０】
他の構成及び作用効果については、前記実施の形態及び実施例１乃至６と同一乃至均等であるので、説明を省略する。
【実施例８】
【０１１１】
図２３は、この発明の最良の実施の形態の実施例８の貯留池洗浄システム及び該貯留池洗浄システムに用いる沈殿物洗浄部材を示すものである。
【０１１２】
なお、前記実施の形態及び実施例１乃至７と同一乃至均等な部分については、前記実施の形態及び実施例１乃至７と同一符号を付して説明する。
【０１１３】
まず、前記実施例１乃至７との相違点を中心に、この実施例８の沈殿物洗浄部材９２の構成を説明すると、この実施例８の沈殿物洗浄部材９２では、頭頂部９２ａの両側に位置する両側面部９２ｂ，９２ｂの下面側には、側面視略長方形形状の補強フランジ部９２ｅ，９２ｅが各々一体に設けられている。
【０１１４】
他の構成及び作用効果については、前記実施の形態及び実施例１乃至７と同一乃至均等であるので、説明を省略する。
【実施例９】
【０１１５】
図２４は、この発明の最良の実施の形態の実施例９の貯留池洗浄システム及び該貯留池洗浄システムに用いる沈殿物洗浄部材を示すものである。
【０１１６】
なお、前記実施の形態及び実施例１乃至８と同一乃至均等な部分については、前記実施の形態及び実施例１乃至８と同一符号を付して説明する。
【０１１７】
まず、前記実施例１乃至８との相違点を中心に、この実施例９の沈殿物洗浄部材１０２の構成を説明すると、この実施例９の沈殿物洗浄部材１０２では、両側面部１０２ｂ，１０２ｂが、内側が凸となるように円弧状の断面形状を呈して各々構成されている。
【０１１８】
このように構成された実施例９の沈殿物洗浄部材１０２では、前記側面部１０２ｂ，１０２ｂが、内側が凸となるように円弧状の断面形状を呈して各々構成されているので、更に、沈殿物６及び泥水等は、この側面部１０２ｂを伝って、前記水路１６方向へ流下しやすい。
【０１１９】
他の構成及び作用効果については、前記実施の形態及び実施例１乃至８と同一乃至均等であるので、説明を省略する。
【実施例１０】
【０１２０】
図２５は、この発明の最良の実施の形態の実施例１０の貯留池洗浄システム及び該貯留池洗浄システムに用いる沈殿物洗浄部材を示すものである。
【０１２１】
なお、前記実施の形態及び実施例１乃至９と同一乃至均等な部分については、前記実施の形態及び実施例１乃至９と同一符号を付して説明する。
【０１２２】
まず、前記実施例１乃至９との相違点を中心に、この実施例１０の沈殿物洗浄部材１１２の構成を説明すると、この実施例１０の沈殿物洗浄部材１１２では、両側面部１１２ｂ，１１２ｂの一部が、外側が凸となるように円弧状の膨出部１１２ｃ，１１２ｃを有して各々構成されている。
【０１２３】
このように構成された実施例１０の沈殿物洗浄部材１１２では、前記側面部１１２ｂ，１１２ｂの膨出部１１２ｃが、外側が凸となるように円弧状を呈して各々構成されているので、更に、沈殿物６及び泥水等は、この側面部１１２ｂの膨出部１１２ｃ上で、前記水路１６方向へ流下しやすい。
【０１２４】
他の構成及び作用効果については、前記実施の形態及び実施例１乃至９と同一乃至均等であるので、説明を省略する。
【実施例１１】
【０１２５】
図２６は、この発明の最良の実施の形態の実施例１１の貯留池洗浄システム及び該貯留池洗浄システムに用いる沈殿物洗浄部材を示すものである。
【０１２６】
なお、前記実施の形態及び実施例１乃至１０と同一乃至均等な部分については、前記実施の形態及び実施例１乃至１０と同一符号を付して説明する。
【０１２７】
この実施例１１では、前記沈殿物洗浄部材１２…の縦列を、上面視で、略ハの字状に前記底部１１に配置することにより、水路１１６，１１６の幅が、下流側に向かうに従って漸次、狭くなるように構成されている。
【０１２８】
このように構成された実施例１１の貯留池洗浄システムでは、沈殿物洗浄部材１２…の縦列が、上面視で、略ハの字状に前記底部１１に配置されて、水路１１６，１１６の幅が、下流側に向かうに従って漸次、狭くなる。
【０１２９】
このため、高圧洗浄水による沈殿物６の洗浄を行う際に、下流側に向かうに従って、流速が早くなるので、沈殿物６が、泥水と共に、流下して排出されやすい。
【０１３０】
他の構成及び作用効果については、前記実施の形態及び実施例１乃至１０と同一乃至均等であるので、説明を省略する。
【０１３１】
以上、図面を参照して、本発明の実施の形態を詳述してきたが、具体的な構成は、この実施の形態に限らず、本発明の要旨を逸脱しない程度の設計的変更は、本発明に含まれる。
【０１３２】
即ち、前記実施の形態では、断面略二等辺三角形形状の沈殿物洗浄部材１２を用いたものを示してきたが、特にこれに限らず、左，右非対称の山型等、設置状態での安定性が良好で、並設された状態では、隣接配置される沈殿物洗浄部材間に谷部が形成されるものであれば、どのような形状、数量及び材質であってもよいことは当然である。
【図面の簡単な説明】
【０１３３】
【図１】この発明の最良の実施の形態の貯留池洗浄システム及び該貯留池洗浄システムに用いる沈殿物洗浄部材を並べた様子を示し、全体の構成を説明する一部断面斜視図である。
【図２】実施の形態の貯留池洗浄システムに用いる沈殿物洗浄部材で、図１中Ａ−Ａ線に沿った位置での断面図である。
【図３】実施の形態の貯留池洗浄システムに用いる沈殿物洗浄部材で、図４中Ｂ−Ｂ線に沿った位置での断面図である。
【図４】最良の実施の形態の貯留池洗浄システムに用いる沈殿物洗浄部材の上面図である。
【図５】最良の実施の形態の貯留池洗浄システムに用いる沈殿物洗浄部材の下面図である。
【図６】最良の実施の形態の貯留池洗浄システムに用いる沈殿物洗浄部材で、最上流側の端部の構成を説明する斜視図である。
【図７】最良の実施の形態の貯留池洗浄システムの作用を説明し、降雨時の貯留池の模式的な断面図である。
【図８】最良の実施の形態の貯留池洗浄システムの作用を説明し、晴天時の貯留池の模式的な断面図である。
【図９】最良の実施の形態の貯留池洗浄システムの作用を説明し、洗浄時の貯留池の模式的な断面図である。
【図１０】最良の実施の形態の実施例１の貯留池洗浄システム及び該貯留池洗浄システムに用いる沈殿物洗浄部材で、要部の拡大斜視図である。
【図１１】最良の実施の形態の実施例１の貯留池洗浄システムに用いる沈殿物洗浄部材で、模式的な側面図である。
【図１２】最良の実施の形態の実施例１の貯留池洗浄システムに用いる沈殿物洗浄部材で、上面図である。
【図１３】最良の実施の形態の実施例１の貯留池洗浄システムに用いる沈殿物洗浄部材で、図１１中Ｃ−Ｃ線に沿った位置での断面図である
【図１４】最良の実施の形態の実施例２の貯留池洗浄システム及び該貯留池洗浄システムに用いる沈殿物洗浄部材で、要部の拡大斜視図である。
【図１５】最良の実施の形態の実施例２の貯留池洗浄システムに用いる沈殿物洗浄部材で、模式的な側面図である。
【図１６】最良の実施の形態の実施例３の貯留池洗浄システムに用いる沈殿物洗浄部材で、図１１中Ｃ−Ｃ線に沿った位置に相当する部分での断面図である
【図１７】最良の実施の形態の実施例４の貯留池洗浄システムに用いる沈殿物洗浄部材で、図１１中Ｃ−Ｃ線に沿った位置に相当する部分での断面図である。
【図１８】最良の実施の形態の実施例５の貯留池洗浄システムに用いる沈殿物洗浄部材で、要部の拡大斜視図である。
【図１９】最良の実施の形態の実施例５の貯留池洗浄システムに用いる沈殿物洗浄部材で、連結状態を説明する上面図である。
【図２０】最良の実施の形態の実施例６の貯留池洗浄システムに用いる沈殿物洗浄部材で、連結された状態での正面図である。
【図２１】最良の実施の形態の実施例６の貯留池洗浄システムに用いる沈殿物洗浄部材で、連結状態を説明する図２０中Ｄ部の拡大断面図である
【図２２】最良の実施の形態の実施例７の貯留池洗浄システムに用いる沈殿物洗浄部材の正面図である。
【図２３】最良の実施の形態の実施例８の貯留池洗浄システムに用いる沈殿物洗浄部材の正面図である。
【図２４】最良の実施の形態の実施例９の貯留池洗浄システムに用いる沈殿物洗浄部材の正面図である。
【図２５】最良の実施の形態の実施例１０の貯留池洗浄システムに用いる沈殿物洗浄部材の正面図である。
【図２６】最良の実施の形態の実施例１０の貯留池洗浄システムで、沈殿物洗浄部材の配列を説明する貯留池の底部の上面図である。
【図２７】従来例の貯留池洗浄システム及び該貯留池洗浄システムに用いる沈殿物洗浄部材の構成を説明し、沈殿物回収溝の斜視断面図である。
【図２８】従来例の貯留池洗浄システム及び該貯留池洗浄システムに用いる沈殿物洗浄部材の構成を説明し、沈殿物回収溝を埋設した貯留池の底部の断面図である。
【符号の説明】
【０１３４】
１０                貯留池
１１                底部
１２，２２，３２，４２，５２，６２，７２，８２，９２，１０２，１１２
沈殿物洗浄部材
１２，２３，３２ａ  空気孔
１２a，２２ａ，８２ａ，９２ａ
頭頂部
１３                空間部
１４                固定ボルト部材
１６，１１６        水路（谷部）
連結手段
２４                内嵌着部
２５                外嵌着部
４４                内接合傾斜端面部
４５                外接合傾斜端面部
５４                内鉤状連結部
５５                外鉤状連結部
６４                凸状突起
６５                凹状被係合部
６６                凸状突起
６７                凹状被係合部
７３，７４          連結片部
７５                ピン部
７６                係着孔
【図１】
2007144332.tif 000003
【図２】
2007144332.tif 000004
【図３】
2007144332.tif 000005
【図４】
2007144332.tif 000006
【図５】
2007144332.tif 000007
【図６】
2007144332.tif 000008
【図７】
2007144332.tif 000009
【図８】
2007144332.tif 000010
【図９】
2007144332.tif 000011
【図１０】
2007144332.tif 000012
【図１１】
2007144332.tif 000013
【図１２】
2007144332.tif 000014
【図１３】
2007144332.tif 000015
【図１４】
2007144332.tif 000016
【図１５】
2007144332.tif 000017
【図１６】
2007144332.tif 000018
【図１７】
2007144332.tif 000019
【図１８】
2007144332.tif 000020
【図１９】
2007144332.tif 000021
【図２０】
2007144332.tif 000022
【図２１】
2007144332.tif 000023
【図２２】
2007144332.tif 000024
【図２３】
2007144332.tif 000025
【図２４】
2007144332.tif 000026
【図２５】
2007144332.tif 000027
【図２６】
2007144332.tif 000028
【図２７】
2007144332.tif 000029
【図２８】
2007144332.tif 000030